(57)【要約】      （修正有）【課題】カメラの存在が気がつかれにくくカメラの破壊および盗難が低減され、小型かつ防水構造となり取付が簡素化できる防犯カメラを提供する。【解決手段】赤外線発光ＬＥＤ基盤と映像を映し出すレンズ付ＣＣＤ基盤、映像を記録する録画装置を防水ケースへ組み合わせ暗闇撮影および録画記録を一体化する。赤外線発光ＬＥＤ基盤のＬＥＤは、発光しても人の目に見えない不可視光線９４０ｎｍである。【選択図】図２
0003162347.tif 000002
【実用新案登録請求の範囲】
【請求項１】
赤外線ＬＥＤ基盤と録画装置と防水ケースの組み合わせで一体構造を特徴とする防犯カメラ。
【請求項２】
前記の赤外線ＬＥＤ基盤は、発光しても人の目に見えない物であることを特徴とする請求項目１記載の防犯カメラ
【考案の詳細な説明】
【技術分野】
【０００１】この考案は、暗闇撮影防犯カメラと録画装置の構造に関する
【背景技術】
【０００２】従来のカメラと録画装置は、人の目に見える赤外線ＬＥＤで暗闇発光し記録する物でありカメラの破壊または盗難に遭うことがあった。更に一体構造の物は、非防水構造であり屋外に設置が困難であった
【考案の概要】
【０００３】この考案は人の目に見えない不可視ＬＥＤで赤外線発光して暗闇を映しだし録画装置と一体構造にすることにより小型化および防水構造を課題とする
【課題を解決するための手段】
【０００４】以上の課題を解決する為に、第一考案は、人の目に見えない赤外線ＬＥＤを発光させて暗闇でカメラの存在を気がつかれにくくすることを考案とする
第二考案は、上記の赤外線ＬＥＤと録画装置を１つの防水ケースに入れて一体化させることにより小型化を特徴とする
【考案の効果】
【０００５】第一考案、または第二考案によれば暗闇撮影時に人の目に見えない光で撮影が行われる為カメラの存在が気がつかれにくくカメラの破壊および盗難が低減され、録画装置と一体構造になっている為、小型かつ防水構造となり取付が簡素化できるようになる
【図面の簡単な説明】図は、組み合わせを行う部品の写真である
【図１】この考案の実地する組み合わせ部品である  １．人の目に見えない赤外線を発光する部品  ２．映像を映し出すＣＣＤ基盤とレンズ  ３．映像を記録する録画装置
【考案を実施するための形態】
【０００６】この考案を防水ケースに入れた実地形態を図２に示す
１の赤外線ＬＥＤは、人の目で見ることの出来ない発光をする部品であり、この基盤に２のＣＣＤ基盤とレンズを接続し更に３の小型録画装置と一体にして防水ケースに入れたものである
【他の実地形態】
図１の１の赤外線ＬＥＤの数量は固定数量でなく他の実地形態では数量を変更しても良い
【符号の説明】
【０００７】１  赤外線ＬＥＤ基盤  ２レンズおよびＣＣＤ基盤
３  ＳＤカード記録式録画装置
【図１】
0003162347.tif 000003
【図２】
0003162347.tif 000004
【手続補正書】
【提出日】平成22年2月26日(2010.2.26)
【手続補正２】
【補正対象書類名】実用新案登録請求の範囲
【補正対象項目名】全文
【補正方法】変更
【補正の内容】
【実用新案登録請求の範囲】
【請求項１】
赤外線発光ＬＥＤ基盤と映像を映し出すレンズ付ＣＣＤ基盤、映像を記録する録画装置を防水ケースへ組み合わせ暗闇撮影および録画記録を一体構造を特徴とする防犯カメラ
【請求項２】
前記の赤外線発光ＬＥＤ基盤は、発光しても人の目に見えない不可視光線９４０ｎｍであることを特徴とする請求項１記載の防犯カメラ
【手続補正３】
【補正対象書類名】明細書
【補正対象項目名】全文
【補正方法】変更
【補正の内容】
【考案の詳細な説明】
【技術分野】
【０００１】この考案は、暗闇撮影防犯カメラと録画装置の構造に関する
【背景技術】
【０００２】従来のカメラと録画装置は、人の目に見える赤外線ＬＥＤで暗闇発光し記録する物でありカメラの破壊または盗難に遭うことがあった。更に一体構造の物は、非防水構造であり屋外に設置が困難であった
【考案の概要】
【０００３】この考案は人の目に見えない不可視赤外線を発光して暗闇を映しだし録画装置と一体構造にすることにより小型化および防水構造を課題とする
【課題を解決するための手段】
【０００４】以上の課題を解決する為に第一考案は人の目に見えない９４０ｎｍ赤外線ＬＥＤを発光させて暗闇でカメラの存在を気がつかれにくくすることを考案とする。第二考案は、上記の赤外線ＬＥＤと録画装置を１つの防水ケースに入れて一体化させることにより小型化を特徴とする
【考案の効果】
【０００５】第一考案、または第二考案によれば暗闇撮影時に人の目に見えない９４０ｎｍの赤外線光で撮影が行われる為カメラの存在が気がつかれにくくカメラの破壊および盗難が低減され、録画装置と一体構造になっている為、小型かつ防水構造となり取付が簡素化できるようになる
【図面の簡単な説明】  図は、組み合わせを行う部品の図である
【図１】この考案の実地する組み合わせ部品である  １．人の目に見えない不可視赤外線９４０ｎｍを発光する部品  ２．映像を映し出すレンズ付ＣＣＤ基盤  ３．映像を記録する録画装置
【図２】図１の基盤を防水ケースに入れる組み合わせを示す物である
【考案を実施するための形態】
【０００６】この考案を防水ケースに入れた実地形態を図２に示す
１の赤外線ＬＥＤは、人の目で見ることの出来ない９４０ｎｍ発光をする部品であり、この基盤に２のＣＣＤ基盤とレンズを接続し更に３の小型録画装置と一体にして防水ケースに入れたものである
【他の実地形態】
図１の１の赤外線発光ＬＥＤの数量は固定数量でなく他の実地形態では数量を変更しても良い
【符号の説明】
【０００７】１  赤外線発光（９４０ｎｍ）ＬＥＤ基盤  ２レンズおよびＣＣＤ基盤
３  ＳＤカード記録式録画装置
【手続補正４】
【補正対象書類名】図面
【補正対象項目名】全図
【補正方法】変更
【補正の内容】
【図１】
0003162347.tif 000005
【図２】
0003162347.tif 000006
【手続補正書】
【提出日】平成22年6月7日(2010.6.7)
【手続補正２】
【補正対象書類名】実用新案登録請求の範囲
【補正対象項目名】全文
【補正方法】変更
【補正の内容】
【実用新案登録請求の範囲】
【請求項１】
赤外線発光ＬＥＤ基盤と映像を映し出すレンズ付ＣＣＤ基盤、映像を記録する録画装置を防水ケースへ組み合わせ暗闇撮影および録画記録を一体構造を特徴とする防犯カメラ
【請求項２】
前記の赤外線発光ＬＥＤ基盤のＬＥＤは、発光しても人の目に見えない不可視光線９４０ｎｍであることを特徴とする請求項１記載の防犯カメラ
【手続補正３】
【補正対象書類名】明細書
【補正対象項目名】全文
【補正方法】変更
【補正の内容】
【考案の詳細な説明】
【技術分野】
【０００１】この考案は、暗闇撮影防犯カメラと録画装置の構造に関する
【背景技術】
【０００２】従来のカメラと録画装置は、人の目に見える赤外線ＬＥＤで暗闇発光し記録する物でありカメラの破壊または盗難に遭うことがあった。更に一体構造の物は、非防水構造であり屋外に設置が困難であった
【考案の概要】
【０００３】この考案は人の目に見えない不可視赤外線を発光して暗闇を映しだし録画装置と一体構造にすることにより小型化および防水構造を課題とする
【課題を解決するための手段】
【０００４】以上の課題を解決する為に第一考案は人の目に見えない９４０ｎｍ赤外線ＬＥＤを発光させて暗闇でカメラの存在を気がつかれにくくすることを考案とする。第二考案は、上記の赤外線ＬＥＤと録画装置を１つの防水ケースに入れて一体化させることにより小型化を特徴とする
【考案の効果】
【０００５】第一考案、または第二考案によれば暗闇撮影時に人の目に見えない９４０ｎｍの赤外線光で撮影が行われる為カメラの存在が気がつかれにくくカメラの破壊および盗難が低減され、録画装置と一体構造になっている為、小型かつ防水構造となり取付が簡素化できるようになる
【図面の簡単な説明】図は、組み合わせを行う部品の図である【図１】この考案の実地する組み合わせ部品である  １．人の目に見えない不可視赤外線９４０ｎｍを発光する部品２．映像を映し出すレンズ付ＣＣＤ基盤３．映像を記録する録画装置
【図２】図１の基盤を防水ケースに入れる組み合わせを示す物である
【考案を実施するための形態】
【０００６】この考案を防水ケースに入れた実地形態を図２に示す
１の赤外線ＬＥＤは、人の目で見ることの出来ない９４０ｎｍ発光をする部品であり、この基盤に２のＣＣＤ基盤とレンズを接続し更に３の小型録画装置と一体にして防水ケースに入れたものである
【他の実地形態】
図１の１の赤外線発光ＬＥＤの数量は固定数量でなく他の実地形態では数量を変更しても良い
【符号の説明】
【０００７】１  赤外線発光（９４０ｎｍ）ＬＥＤ基盤  ２レンズおよびＣＣＤ基盤
３  ＳＤカード記録式録画装置
【手続補正４】
【補正対象書類名】図面
【補正対象項目名】全図
【補正方法】変更
【補正の内容】
【図１】
0003162347.tif 000007
【図２】
0003162347.tif 000008